(57)【要約】  【課題】洗浄便座を便器本体に固着するための固着具に一般市販品のナットを使用して確実に安定して固着することができる洗浄便座一体型便器を提供する。  【解決手段】洗浄便座一体型便器４０は、内部空間１ｂを有する便器本体１の上面部１ａに形成される孔４８ａ、４８ｂを介して固着具４６ａ、４６ｂにより洗浄便座４４と本体ケース４５が上面部１ａに着脱可能に固着される。前記上面部１ａの本体ケース４５の取付領域に、前記便器本体１の内部空間１ｂに露出する前記洗浄便座４４の固着具４６ａを操作するための開口部４７が形成される。前記開口部４７は略矩形形状で人の片手が挿入可能な大きさに形成される。上面部１ａの開口部４７の両側部に、本体ケース４５の固着用としてそれぞれ４個の孔４８ｂが設けられ、開口部４７とボウル４９間の上面部１ａに洗浄便座４４固着用の孔４８ａが２個設けられる。【選択図】  図１
2007002569.tif 000002
【特許請求の範囲】
【請求項１】
内部空間を有する便器本体の上面部に洗浄便座と本体ケースが固着具によって着脱可能に固着される洗浄便座一体型便器であって、
前記本体ケースの取付領域における前記上面部に、前記便器本体の内部空間に露出する前記洗浄便座の固着具を操作する開口部が形成されることを特徴とする洗浄便座一体型便器。
【請求項２】
請求項１に記載の洗浄便座一体型便器であって、前記開口部は人の片手が挿入可能な大きさに形成されることを特徴とする洗浄便座一体型便器。
【発明の詳細な説明】
【技術分野】
【０００１】
本発明は腰掛式の洗浄便座一体型便器に関し、詳しくは、便器本体の上面部に洗浄便座を確実に取付けることができるボルト止着具の技術に関する。
【背景技術】
【０００２】
従来、洗浄水用溜めタンクを使用しない洗浄便座一体型便器は便器本体と洗浄便座と本体ケースで構成される。
【０００３】
洗浄便座は臀部が快適に着座できるように凸状断面形状に形成され、使用者が着座したとき臀部に感じる冷たさを解消するためのヒーターや臀部を自動洗浄する機能を一体的に備えている。本体ケースには、便器洗浄水用のロータンクや制御装置等が格納される。
【０００４】
このような構成の洗浄便座一体型便器の洗浄便座を便器本体の上面部に固着ボルトを用いて取付ける構成が特許文献１に開示されている。
【０００５】
図５、図６に示すように、特許文献１の固着具３は固着ボルト３２と板バネ６と弾性撓み部３５で構成される。一対の固着具３はナット３１を締めることにより便器本体１の洗浄便座２の取付面１１に左右対称に取付けられる。
【０００６】
そして、便器本体１の取付面１１にあらかじめ取付けられた固着具３に向かって洗浄便座２をボウル１２側から押し込むと、板バネ６のバネ圧によって洗浄便座２はワンタッチで便器本体１に取付けられる。
【０００７】
この特許文献１の方法によれば、ナット３１が便器本体１の図示しない外部側に露出しているので、ナット３１を固着ボルト３２に容易に固着することができる。
【０００８】
ところが、図７に示すように、密閉された内部空間１ｂを有する一体成形の便器本体１に図示しない洗浄便座を取付ける場合には、便器本体１の内部空間１ｂに手が挿入できないため、一般市販品としてのナット３１を用いることができず、特殊ナット２８を用いて便器本体１に取付ボルト２７を固着する必要があった。
【０００９】
洗浄便座を取付ける際には、まず、洗浄便座固定用の固定プレート２３が便器本体１の上面部１ａの孔２４を介して固着具２５によって上面部１ａに固定される。固定プレート２３はその両端部に洗浄便座の裏面部とスライド嵌合する嵌合部２３ａと上面部１ａに固定用の長孔２６を備えている。
【００１０】
そして、特殊ナット２８は中央部に拡径部２８ａを備え、拡径部２８ａが孔２４から便器本体１の内部空間１ｂに挿入された状態で、螺合した取付ボルト２７を締めることにより拡径部２８ａが拡径することにより、便器本体１の上面部１ａを拡径部２８ａとワッシャー２９ａで挟持して固定プレート２３を固着することができる。
【特許文献１】特開平１１−３３２７９０号公報
【発明の開示】
【発明が解決しようとする課題】
【００１１】
ところが、上記、特殊ナットは一般市販品のナットに比較して締付け強度が十分ではなく、洗浄便座の長期使用により稀にガタが生じるという問題があった。
【００１２】
また、特殊ナットは他の部品との共有化が困難なため、在庫が増える等によりコストが高くなるという問題があった。
【００１３】
そこで、本発明は、洗浄便座を便器本体に固着するための固着具に一般市販品のナットを使用して、洗浄便座を便器本体に確実に安定して固着することができる洗浄便座一体型便器を提供することを目的とする。
【課題を解決するための手段】
【００１４】
請求項１の発明は、内部空間を有する便器本体の上面部に洗浄便座と本体ケースが固着具によって着脱可能に固着される洗浄便座一体型便器であって、前記本体ケースの取付領域における前記上面部に、前記便器本体の内部空間に露出する前記洗浄便座の固着具を操作する開口部が形成されることを特徴としている。
【００１５】
請求項２の発明は、請求項１に記載の腰掛式便器であって、前記開口部は人の片手が挿入可能な大きさに形成されることを特徴としている。
【発明の効果】
【００１６】
請求項１の発明によれば、前記本体ケースの取付領域における前記上面部に、前記便器本体の内部空間に露出する前記洗浄便座の固着具を操作する開口部が形成されている。
【００１７】
このため、前記開口部から内部空間に露出する前記洗浄便座の固着具を操作することができるので、一般市販品のナットを使用して洗浄便座（固定プレート）を確実に固着することができる。
【００１８】
請求項２の発明によれば、前記開口部は人の片手が挿入可能な大きさに形成されるので、前記開口部から手を挿入して内部空間に露出する前記洗浄便座の固着具を操作することができる。
【００１９】
このため、開口部から一般市販品のナットを挿入して使用することができるので洗浄便座（固定プレート）を確実に固着することができる。
【発明を実施するための最良の形態】
【００２０】
以下に、本発明の実施形態を図に基づいて説明する。なお、図７に示した構成と同等部分に関しては適宜に同一符号を付して説明する。
【００２１】
＜洗浄便座一体型便器の構成＞
図１、２に示すように、本発明の実施形態における洗浄便座一体型便器４０は、内部空間１ｂを有する便器本体１の上面部１ａに形成される孔４８ａ、４８ｂを介して固着具４６ａ、４６ｂにより洗浄便座４４と本体ケース４５が上面部１ａに着脱可能に固着される。
【００２２】
ここで、前記本体ケース４５の取付領域における前記上面部１ａに、前記便器本体１の内部空間１ｂに露出する前記洗浄便座４４の固着具４６ａを操作するための開口部４７が形成される。前記開口部４７は略矩形形状で人の片手が挿入可能な大きさに形成される。
【００２３】
そして、開口部４７の両側の上面部１ａには本体ケース４５の固着具４６ｂ用の孔４８ｂがそれぞれ４個設けられ、開口部４７とボウル４９間の上面部１ａに洗浄便座４４の固着具４６ａ用の孔４８ａが２個設けられる。
【００２４】
図３（ａ）、（ｂ）に示すように、洗浄便座４４用の２組の固着具４６ａはそれぞれ、取付ボルト２７、ワッシャー２９ａ、ワッシャー２９ｂ、緩衝材５１、ナット５２で形成される。
【００２５】
洗浄便座４４用の固定プレート２３は、洗浄便座４４の裏面部とスライド嵌合する一対の嵌合部２３ａと、固着具４６ａ用の一対の長孔２６を備えている。そして、取付ボルト２７が長孔２６に挿入されてナット５２に螺合すると、固定プレート２３はワッシャー２９ａとワッシャー２９ｂ間に挟持され、上面部１ａがワッシャー２９ｂと緩衝材５１の間に挟持される。
【００２６】
このとき、前記開口部４７は略矩形形状で人の片手が挿入可能な大きさに形成されるので、ナット５２は一般市販品を用いることができる。
【００２７】
そして、図４に示すように、洗浄便座４４の裏面の図示しない固定部を固定プレート２３にスライド嵌合することで、洗浄便座４４が便器本体１に固着される。
【００２８】
＜洗浄便座一体型便器の作用＞
上記のように、内部空間１ｂを有する一体成形品の便器本体１に洗浄便座４４を取付ける際に、開口部４７から内部空間１ｂに手を挿入できるので、固着具４６ａのナット５２は一般市販品を用いることができる。
【００２９】
このため、洗浄便座４４は一般市販品のナット５２によって便器本体１に確実に安定して固着することができる。
【００３０】
そして、洗浄便座４４が便器本体１に固着された後に、前記開口部４７の両側部に設けられたそれぞれ４組の孔４８ｂを介して本体ケース４５が固着具４６ｂによって固着される。
【００３１】
なお、本体ケース４５も洗浄便座４４と同様に開口部４７を利用して一般市販品のナットを使用できるが、仮に、特殊ナットによる固着の場合でも本体ケース４５には繰り返し加重が掛かることがないので本体ケース４５の固定が不安定になることはない。
【００３２】
以上、本発明の実施形態を図面に基づいて説明したが、上記の実施例はいずれも本発明の一例を示したものであり、本発明はこれらに限定されるべきでないということはいうまでもない。
【図面の簡単な説明】
【００３３】
【図１】本発明の実施形態における、洗浄便座一体型便器の平面図である。
【図２】本発明の実施形態における、図１のＡ−Ａ断面図である。
【図３】本発明の実施形態における、（ａ）は便器本体に取付ける洗浄便座用の固定プレートと固着具の組付状態を示す斜視図、（ｂ）は固着具の斜視図である。
【図４】本発明の実施形態における、便器本体に本体ケースが取付けられた状態で、洗浄便座を固定プレートにスライド嵌着する状態を示す斜視図である。
【図５】従来の洗浄便座一体型便器の、便器本体に取付ける洗浄便座用の固着具３の側面図である。
【図６】従来の洗浄便座一体型便器の、便器本体に取付ける洗浄便座用の固着具３の配置を示す平面図である。
【図７】他の従来の洗浄便座一体型便器の、便器本体に取付ける洗浄便座用の固定プレートと固着具２５の組付状態を示す斜視図である。
【符号の説明】
【００３４】
１  便器本体
１ａ  上面部
１ｂ  内部空間
４０  洗浄便座一体型便器
４４  洗浄便座
４５  本体ケース
４６ａ  固着具
４６ｂ  固着具
４７  開口部
４８ａ  孔
４８ｂ  孔
４９  ボウル
【図１】
2007002569.tif 000003
【図２】
2007002569.tif 000004
【図３】
2007002569.tif 000005
【図４】
2007002569.tif 000006
【図５】
2007002569.tif 000007
【図６】
2007002569.tif 000008
【図７】
2007002569.tif 000009